(57)【要約】  本発明は盗難からアイテムを守るための安全装置（１０）に関し、２つの端部（２０ａ、２０ｂ）を備えた少なくとも１つのケーブル（２０）と、ループを形成するためにロック装置（４０）により２つのケーブル端部を一緒に解除が可能に結びつけるために適したケーブルロック（３０）とを備え、前記ケーブルロック（３０）は、解除が可能にケーブルループを形成するための前記ロック装置と一緒にロックするために第１ケーブル端保持部品（３０ａ）と第２ケーブル端保持部品（３０ｂ）とを備える。前記ケーブルロック（３０）は、前記ケーブル（２０）のための調節可能なループを形成するために構成されるケーブル調節装置（５０）を備える。
2010521030.tif 000002
【特許請求の範囲】
【請求項１】
２つの端部（２０ａ、２０ｂ）を備えた少なくとも１つのケーブル（２０）と、
ループを形成するために、ロック装置（４０）により、２つのケーブル端部を解放可能に一緒に取り付けるケーブルロック（３０）と、を備え、
前記ケーブルロック（３０）は、第１ケーブル端保持部（３０ａ）及び第２ケーブル端保持部（３０ｂ）を備え、これら両ケーブル端保持部は、前記ケーブルループを形成するために、前記ロック装置により、開放可能に一緒にロックされるよう構成されており、
前記ケーブルロック（３０）は、前記ケーブル（２０）のための調節可能なループを形成するよう構成されたケーブル調節装置（５０）を備え、前記第１ケーブル端部保持部（３０ａ）は、その中に回転可能に搭載され、且つ、前記ケーブルの巻き上げのために前記ケーブル（２０）の一端（２０ａ、２０ｂ）に操作可能に接続される付勢されたドラム（５１）と、前記付勢されたドラムに操作可能に接続され、且つ、前記ケーブルループの寸法が調節されるように、前記ケーブル（２０）を巻き上げるためのドラムを解放することにより前記ケーブルループを狭くするため、及び、前記ケーブルの巻き戻しを止めるために、操作可能なケーブル制御装置（５２）とを備えて成る
盗難からアイテムを守るための安全装置（１０）において、
前記ケーブルロック（３０）は、一緒にロックされるとき、前記２つのケーブル端保持部品（３０ａ、３０ｂ）により形成される１つの２部品構成ケーブルロックであり、さらに、前記ケーブルロックがロックされず、かつ、前記２つのケーブル端保持部品が離れているときには、前記ケーブル端保持部品のそれぞれが案内部材であることを特徴とする安全装置（１０）。
【請求項２】
前記ケーブル端保持部品（３０ａ、３０ｂ）の１つは、アイテムがある規定された領域から取り去られた場合に、アラームを始動させるために適した警報要素（６０）を備えることを特徴とする請求項１に記載の安全装置（１０）。
【請求項３】
前記ケーブル端保持部品（３０ａ、３０ｂ）は、前記ロック装置がロックされた場合に盗難からアイテムを保持し且つ固定するための前記ケーブルループを閉じるために、前記ロック装置（４０）が互いに対して解放及び固定される場合に、前記アイテムを除去又は固定するための前記ケーブルループ（２０）の開放又は閉鎖を可能にするために、前記部品が互いに対して反対方向に配置可能であるようにするために、移動可能に相互接続される請求項１又は請求項２に記載の安全装置（１０）。
【請求項４】
１つのケーブル端保持部品（３０ａ）は、２つのケーブル端保持部品（３０ａ、３０ｂ）が移動する方向に延在し、且つ少なくとも１つの他のケーブル端保持部品（３０ｂ）の雌部材（３２）に対向する少なくとも一つの雄部材（３１）を有し、その雌及び雄部材は、反対方向に相互接続して配置可能に構成されることを特徴とする請求項１〜３のいずれか１項に記載の安全装置（１０）。
【請求項５】
１つのケーブル端保持部品（３０ａ）は、その２つのケーブル端保持部品（３０ａ、３０ｂ）が移動する方向に延在する２つの雄部材（３１）を有し、各雄部材は他のケーブル端保持部品（３０ｂ）の雌部材（３２）に対向することを特徴とする請求項４に記載の安全装置（１０）。
【請求項６】
第１雄部材（３１）は、互いに対して前記ケーブル端保持部品（３０ａ、３０ｂ）の移動を案内するように適合され、並びに、もしケーブルロックが不正をされた場合に、アラームを始動させるために適したアラーム回路の一部を形成するように適合されることを特徴とする請求項５に記載されている安全装置（１０）。
【請求項７】
第２雄部材（３１）は、前記ケーブルロック（３０）の堅さが増大して、前記ケーブルロックが不正に対して抵抗性を有するようにするために、互いに対して前記ケーブル端保持部品（３０ａ、３０ｂ）の移動を案内するように適合されることを特徴とする請求項５に記載の安全装置（１０）。
【請求項８】
前記ケーブル制御装置（５２）は、ブレーキ部材（５４）を備えた操作可能なアクチュエーター（５３）を備え、前記アクチュエーターは付勢されて、働いていない位置において前記ブレーキ部材は、前記付勢されたドラム（５１）を係合して、前記ケーブル（２０）の巻き戻しにブレーキをかけ、並びに、前記アクチュエーターが作動している場合に、前記ブレーキ部材が移動して前記ドラムとの係合が外れて、前記ケーブルループの寸法が調節されるように前記ケーブルを巻き上げるための前記ドラムを解放するようにすることを特徴とする請求項１〜７のいずれか１項に記載の安全装置（１０）。
【請求項９】
１つの前記ケーブル端保持部品（３０ａ、３０ｂ）中の前記ロック装置（４０）は、静止状態において、他のケーブル端保持部品（３０ａ、３０ｂ）に係合される端部を有する少なくとも１つの磁気的にひきつけられる板バネを備えることを特徴とする請求項１〜８のいずれか１項に記載の安全装置（１０）。
【請求項１０】
前記ケーブルロック（３０）は、前記ケーブル（２０）に接続されたアラーム回路を備え、前記ケーブルが切られた場合にアラームがなるように構成されることを特徴とする請求項１〜９のいずれか１項に記載の安全装置（１０）。
【請求項１１】
電子物品監視（ＥＡＳ）タグを備えることを特徴とする請求項１〜１０のいずれか１項に記載の安全装置（１０）。
【請求項１２】
各ケーブル端保持部品は丸いことを特徴とする請求項１〜１１のいずれか１項に記載の安全装置（１０）。
【発明の詳細な説明】
【技術分野】
【０００１】
本発明はアイテムを固定するための移動可能な装置に関する。特に、本発明は調節可能な可動性装置に関し、ケーブル又はワイヤーが衣服を通じて、例えばジャケットの袖、ズボンの脚の１つ、又はセーターの袖を通じて引き込まれて、再び外に出されるか、それとも、ジャケット又はセーターの他の袖、ズボンの他の脚を通じて、又は、任意の他の開口を通じて、例えば、固定した吊り下げ開口の形態で、又はアイテムの周りを包んで、そしてケーブルループとして一緒にロックされる。安全装置は所望のようにケーブルループを締めるため及び広げるために適合されるケーブル長さ調節装置を備える。
【背景技術】
【０００２】
購入のための商品又はアイテムの盗難及び権限の無い者の不正は、小売店にとって不断の脅威である。今日、店及びモールにおいて権限の無い者によってアイテムが取り去られることから保護することはとても困難である。アイテムの盗難、すなわち代金を支払うことなしに店からアイテムを取り去られること、を防ぐために、アイテムは、アイテムが店又はモールの規定の領域から運ばれた場合に警報の引き金となる要素を備えるか、あるいは、もしアイテムが警報を有していない場合は、例えば自転車を自転車ラック又はポールの周りに固定する為のケーブル又はワイヤーによって、固定された、しっかりとした対象物に固定される。そのような自転車ワイヤーロックは例えば特許文献１で開示され、調節可能なケーブル長さを備えている。この知られた自転車ケーブルロックは、自転車に固定的に取り付けられた１ピースのケーブルロックハウジングを有している。固定されたケーブルロックハウジングにおいて、自転車に乗っている間及び盗難に対して自転車を守る場合に、ケーブルの自由端が解放可能にロックされる。これは、ケーブル端を解放し、固定対象物及び／又は自転車の部品の周りにケーブルを巻く一方で、ケーブル端を引張り、そしてケーブル端をケーブルロックハウジングに戻して導入してそこにそれをロックすることにより行われる。このケーブルロックは警報を備えてもよい。
【０００３】
アイテムを守る場合には、安全の程度と、以下のものとのバランスが必要とされる。すなわち、一つはコストであり、一つは利用しやすさ（特に、試着される衣服、つまり、アラームを備えたジャケットや他の衣服は容易に試着できなければならない）、であり、一つは魅力的な外見（すなわち、消費者はそれを買う前に衣服を見ることができることを望み、またしばしば触ったり感じたりすることを望む）である。アイテムを守るため、かつアイテムを利用しやすいようにするための多くの解決策、例えば、衣服を試着する際に除きうる警報を備えたロック可能なケーブル、又は支払い机でアイテムから除去される警報ピンなどを使用することがよく知られている。これらの解決策は、検知されない権限のない人によって取り去られることからアイテムを守るための手段を提供する。
【０００４】
しかしながら、これらの解決策は不利な点を有する。特許文献１のケーブルロックは移動させることができず、すなわち、その上に固定的に取り付けられた自転車以外のアイテムを守るために使用されるものではない。他の従来技術の解決策は、ある寸法（すなわち長さ）のケーブルを必要とする。例えば、大きなアイテム、例えば大きく且つ厚い冬のジャケット、自転車又は他の大きなアイテムにアラームを固定するためには長い長さが必要であり、一方、例えば子供の衣服を固定するためには短いケーブル長さが必要となる。また、通常ではない寸法及び／又は形状のアイテムには、多くの「余分な寸法」の長さを必要とし、このことは、各ケーブルの必要以上の扱い並びに操作につながり、使用していないケーブルロックのこのハンドリング及び保管のために時間を無駄に使い、コストも増大させる。
【０００５】
さらに、ケーブルを、アイテムに取り付けるとき（あるいはアイテムを通して取り付けるとき）、並びに、アイテムからケーブルを除去するときの両方において、不必要に長いケーブルは、手繰ること及び制御することが難しく、しかも多くの空間を占め、複雑な操作を必要とするので、これらの従来技術のケーブルロックは扱うことが難しい。これらの知られたケーブル警報ロックはまた、所定の寸法及び形状を有するアイテムを必要とする。このため、例えば、小さなアイテムのためのより短いケーブルを備えたケーブルロックは、もし、より大きなアイテムのためのより長いケーブルロックの在庫がなければ、より大きなアイテムに使用することができない。さらに、不必要に長いワイヤーを備えたケーブルロックは、使用するとき及び将来の使用のために保管するときの両方で、容易にもつれ、ほどくための多くの時間と努力を要し、いくつかのケースにおいては、ほどくことができない。これらの従来技術のケーブルロックはそれゆえ使用するのが面倒であり、嵩張る。
【先行技術文献】
【特許文献】
【０００６】
【特許文献１】独国実用新案第９３１８８９４号明細書
【発明の概要】
【発明が解決しようとする課題】
【０００７】
従って、本発明の全体的な目的は、以下の如き盗難防止装置又は安全装置のための単純化された構成を提供することである。この装置は、盗難から守るべきアイテムを固定するために異なるサイズのケーブルループが形成できるよう調節可能とされたケーブルを備えた少なくとも一つのケーブルロックを有し、かつ該装置は、これを衣服を通して導入する際の操作及び扱いが容易であり、ケーブルループを調整するために余分なツールを必要としない。それゆえ、購入のためのアイテムを固定し、かつ、異なる形状及び寸法のアイテムに適合可能である改善された安全装置を提供することが望まれる。
【課題を解決するための手段】
【０００８】
本願発明の反盗難装置は盗難からアイテムを守るための安全装置の手段によりこの目的を満たし、２つの端部を備えた少なくとも１つのケーブル、ループを形成するためにロック装置により２つのケーブル端部を解放可能に取り付けるケーブルロック、前記ケーブルロックは第１ケーブル端保持部及び第２ケーブル端保持部を備え、これら両ケーブル端保持部はケーブルループを形成するためにロック装置により開放可能に一緒にロックするよう構成されており、ケーブルロックはケーブル調節装置を備え、ケーブル調節装置はケーブルのための調節可能なループを形成するように構成され、第１ケーブル端部保持部は、その中に回転可能に搭載され、且つ、ケーブルの巻き上げのためにケーブルの一端に操作可能に接続される付勢されたドラム、並びに、前記付勢されたドラムに操作可能に接続され、且つケーブルループの寸法が調節されるように、ケーブルを巻き上げるためのドラムを解放することによりケーブルループを狭くするため、及び、ケーブルの巻き戻しを止めるために操作可能なケーブル制御装置を備える。さらに、一緒にロックされるとき、ケーブルロックは２つのケーブル端保持部品により形成される１つの２部品構成ケーブルロックであり、ケーブルロックがロックされず、かつ、２つのケーブル端保持部品が離れているときには、ケーブル端保持部品のそれぞれが案内部材である。
【０００９】
安全装置の一実施形態において、ケーブル端保持部品の１つは、アイテムがある規定された領域から取り去られた場合に、警報を始動させるために適した警報要素を備える。別の実施形態において、ケーブル端保持部品は、移動可能に相互接続され、ロック装置がロックされたときに盗難からアイテムを保持して守るためのケーブルループを閉じるために、ロック装置が互いに対して解放され、及び固定されるときに、アイテムを除去又は固定するためのケーブルループの開き又は閉じを可能にするために、部品は互いに対して反対方向に配置可能であるようにする。
【００１０】
また別の実施形態において、１つのケーブル端保持部品は、２つのケーブル端保持部品に向かって移動する方向に延在し、及び少なくとも１つの他のケーブル端保持部品の雌部材に対向する少なくとも一つの雄部材を有し、その雌及び雄部材は、反対方向に相互接続して配置可能に構成される。さらに別の実施形態において、１つのケーブル端保持部品はその２つのケーブル端保持部品に向けて移動する方向に延在する２つの雄部材を有し、各雄部材は他のケーブル端保持部品の雌部材に対向する。
【００１１】
別の実施形態における第１雄部材は、互いに対してケーブル端保持部品の移動を案内し、及び、もしケーブルロックが不正をされた場合に、警報を始動させるために適した警報回路の一部を形成するように適合される。また別の実施形態において、第２雄部材が、互いに対してケーブル端保持部品の移動を案内するように適合されて、ケーブルロックの堅さが増大して、ケーブルロックが不正に対して抵抗性を有するようにする。
【００１２】
さらに、一実施形態におけるケーブル制御装置は、ブレーキ部材を備えた操作可能なアクチュエーターを備え、アクチュエーターは付勢されて、働いていない位置においてブレーキ部材は、付勢されたドラムを係合して、ケーブルの巻き戻しにブレーキをかけ、並びに、アクチュエーターが作動している場合に、ブレーキ部材が移動してドラムとの係合が外れて、ケーブルループの寸法が調節されるようにケーブルを巻き上げるためのドラムを解放するようにする。
【００１３】
さらに別の実施形態において、１つのケーブル端保持部品中のロック装置は、静止状態において、他のケーブル端保持部品に係合される端部を有する少なくとも１つの磁気的にひきつけられる板バネを備える。
【００１４】
さらに、別の実施形態中のケーブルロックは、ケーブルに接続されたアラーム回路を備え、ケーブルが切られた場合にアラームがなるように構成される。さらに別の実施形態の安全装置は電子物品監視（ＥＡＳ）タグを備える。別の実施形態において、各ケーブル端保持部品は丸い。
【００１５】
本発明によれば、盗難から守られるべきアイテム、例えば衣服及び自転車、のための改善された安全装置は、そのようなアイテム向けの安全装置の操作、取り扱い、及び組立を単純化し、そのような安全装置の安全の程度を高め、使用中及び将来の使用のために貯蔵されている場合に、より少ない空間を占めるように安全装置の寸法を減少し、並びに異なるアイテムのための異なる安全装置の必要性を減少させる。さらに、本発明の安全装置は、特に製造することにおいて、安価であり、並びに、特に異なる寸法のアイテムに適合可能である。安全装置は、ケーブルロック中のケーブルな長さを減少させ、すなわち、守られるべきアイテムを固定するためのケーブルロックの使用されるケーブル長さを最適化し、それにより固定及び取り扱いが単純化され、並びにこのための関連するコストが減少し、及びケーブルロックの貯蔵が単純化され、すなわち、ケーブルロックが将来の使用のために貯蔵されている場合に、ケーブル長さが最小化されうる。さらに、調節可能なケーブル長さを有するケーブルロックを備えた安全装置を提供することにより、安全装置のための応用分野は、著しく広くなり、それは、異なるケーブルロックは意図したものよりも大きなアイテムのために使用することが不可能である従来技術のケーブルと比べて、同じケーブルロックが多くの異なる寸法のアイテムのために使用されることができるからである。従来技術のケーブルロックの幾つかは、他のアイテムを固定するために使用することが不可能ですらあり、それは、ケーブルロックは固定的に１つのアイテムに付属されるので１つのアイテムから他のものへ動かすように適合させられないからである。さらに、本発明のケーブルロックの２部品構造は、衣服、特に袖又は脚、を通してケーブルの１つの端部を導入することが容易になり、それは各ケーブル端保持部品は、各ケーブル端で錘として働いて部品が分離している場合、すなわち、ケーブルロックがアンロックされた後、重力の助けと共に袖を「通じて落ちる」ことにより袖を通じての導入を単純化するためである。
【００１６】
本発明は実施形態の例を参照して、並びに、添付した図面を参照して、以下に、より詳細に記載される。
【図面の簡単な説明】
【００１７】
【図１】本発明による実施形態を示す図である。
【図２】図１の実施形態の図である。
【図３】図２の実施形態の斜視図である。
【図４】図３の実施形態の分解斜視図である。
【図５】図４の実施形態の一部の斜視図である。
【図６】図５の部分図である。
【図７】図１の他の角度からの斜視図である。
【図８】図１のさらに他の角度からの斜視図である。
【発明を実施するための形態】
【００１８】
図１〜図８を参照すると、本願発明の実施形態の図が示されており、これらの図において、安全装置又は盗難防止装置が全体として符号１０で示されている。図１において、同じ安全装置１０が、２つの異なる寸法の衣服、すなわち大人のジャケット及び子供のジャケットを守るための使用の状態で示されている。安全装置１０は、丸い端部を備えた細長い形状を有し、かつループ、すなわち図１の左の大きなジャケットのためのより大きなループ、及び図１の右の小さなジャケットのためのより小さなループ、を形成するための２つの端２０ａ、２０ｂを備えた、少なくとも１つのケーブル２０を備える。
【００１９】
図２において、安全装置１０は、第１ケーブル端保持部品３０ａ及び第２ケーブル端保持部品３０ｂを有する２部品構成ケーブルロック３０、並びにケーブルループを狭くするか又は広くするためのケーブル長さ調節装置５２を備えて示されている。ここで、ケーブルループの１つの寸法が実線で示され、一方ケーブルループの狭窄及び拡大が破線で示されている。
【００２０】
本発明の好ましい実施形態において、２つのケーブル端保持部品３０ａ及び３０ｂ両方が一緒にロックされた場合に、ケーブルロック３０を形成する。これは、１つの実施形態において、２つのケーブル端保持部品が１つの２部品構成ケーブルロックハウジングを形成することを意味する。他の実施形態において、２つのケーブル端保持部品３０ａ及び３０ｂが原則として２つの相補的なケーブルロック半体を構成する。
【００２１】
安全装置１０は、簡単に盗むことができる、すなわち、権限の無い人員によって発見されずに持ち去られる移動できるアイテム、例えば、図１に示すようなジャケット、又は他の種類の衣服又は自転車すら（示されていない）、を固定するための２つの端２０ａ、２０ｂを備えたケーブル２０を備える。２部品構成ケーブルロック３０の形態の安全装置１０はまた少なくとも１つのロック装置４０を備える。ロック装置４０は、ケーブル端２０ａ、２０ｂの一つに、すなわち、ケーブルロック部品３０ａ、３０ｂの一つに、配置されるが、しかし代わりに他のケーブル端２０ａ、２０ｂ、すなわち他のケーブルロック部品３０ａ、３０ｂに配置されてもよい。
【００２２】
ロック装置４０は、図２に示されるように、２つの金属のバネ舌片を備える。これらバネ舌片は、係合及びロック状態（図示されていない）から外部磁石（図示されていない）により操作され、第１ケーブル端保持部品３０ａ又は第２ケーブル端保持部品３０ｂの窪み（図示されていない）と係合し、あるいは解放されて、アンロック状態（図示されていない）とされる。これは安全装置１０、例えばＣＤ−及びＤＶＤ−箱に使用されるセーファー、をロック及びアンロックする知られた方法であり、より詳細に説明することはしない。
【００２３】
ケーブルロック３０は、２つのケーブル端２０ａ、２０ｂを、ロック装置４０により共に解放可能に取り付けてケーブルループを形成するよう適合されている。ここで、第１ケーブル端保持部品３０ａ及び第２ケーブル端保持部品３０ｂは、盗難から守るべきアイテムを固定する際にはロック装置と一緒に解放可能にロックするように、かつアイテムを解放する場合には互いに対して解放されるよう適合されている。ケーブルロック３０はまたケーブル調節装置５０を備える。該ケーブル調節装置５０は、ケーブルループ２０に調節可能性と、未使用時の格納性とを与えるために構成されている。すなわち、アイテムを固定する前にケーブルループを拡大すること及び、アイテムを固定した後にケーブルループを狭くすることにより、その寸法及び形状は調節可能である。これは、ケーブル２０の長さが異なる寸法及び形状を備えたアイテムの周りに適合するために調節可能であって、アイテムが盗まれることを防止できること、又は少なくとも発見されることなく盗まれることがより難しくなることを意味する。第１ケーブル端保持部品３０ａは部分的に丸く、かつ、そこの中に回転可能に搭載されている付勢されたドラム５１を包むためのケースを形成し、ケーブルの巻上げのためのケーブル２０の１つの端２０ａ、２０ｂに動作可能に接続される。すなわち、このケーブル端２０ａ、２０ｂはもちろん固定的にドラムに取り付けられ、その端がそこに固定されるようになる。他の端２０ａ、２０ｂはまた部分的に丸い形状を有する第２ケーブル端保持部品３０ｂに固定的に付着される。示された実施形態において、ケーブル２０の第１端２０ａは第１ケーブル端保持部品３０ａに接続されるが、代わりにドラム５１が第１ケーブル端保持部品３０ａの中に配置されうる場合には、第２ケーブル端保持部品３０ｂに接続されてもよい。
【００２４】
ドラム５１は、一方向の回転運動のためにコイルバネ（図示されてない）により付勢されてもよいもので、それは、格納式のメジャー（ものさし）あるいは掃除機のための格納式の電気ケーブルと同じ働きを提供するので、その機能及び構成をより詳細に説明することはしない。
【００２５】
図１〜図４のケーブルロック３０は、アクチュエーター５２を備えたケーブル制御／調節又は保持／退避装置５０を備える。アクチュエーターは、付勢されたドラム５１に動作可能に接続され、かつ、ケーブルループの寸法を調節するために、ケーブル２０を巻き上げるべくドラムを解放することによりケーブルループ２０を狭くすること、及びケーブルの巻き戻しをブレーキする操作が可能である。この機能は、１つの実施形態で達成され、ケーブル制御アクチュエーター５２が、図４〜図６で示されるようなブレーキ部材５４を備えた操作可能なアクチュエーター５３を備え、そのアクチュエーターは、ドラム５１の回転軸と平行なその長手方向軸が延在する細長いシリンダー形状のボタンである。アクチュエーターは、使用者の指により接近可能なケーブルロック３０（図４〜図６の上方）から突き出している第１上方自由端、及びアクチュエーターの長手軸に垂直に延在するブレーキ部材５４を備えた下方端（図４〜図６の下方に延在する）、すなわち、ドラムの平面と並行に、ドラムの中心に向いているもの、の２つの端を有する。アクチュエーター５３は、ブレーキ部材５４が適切な力又は圧力でドラム５１の下側に係合した状態を維持するために、図４〜図６の上方に付勢される。これにより、該アクチュエーターが不作動状態である場合、前記ドラムに対して所望の充分なブレーキ力が生じて、ケーブルの巻き上げは停止され、かつアクチュエーターが手動で下方に押された場合、すなわち操作され、図４〜図６においてブレーキ部材５４も下方に移動してドラムとの係合及び接触が外れると、それによりドラムは解放されて回転する。すなわち、ドラムは、ブレーキされずに巻き戻され、すなわちケーブル２０を格納する。これらの２つの状態は、図６にそれぞれ実線及び破線で示されている。図５及び図６の２方向の矢印はドラム５１の回転運動及びアクチュエーター５２の直線運動を示す。アクチュエーター５２は、図６で示されているように、断面においてＬの形状を有しているが、もちろん異なるように構成されてもよい。
【００２６】
図４〜図６で示されているように、ブレーキ部材は、ケーブル２０の巻き戻しにブレーキをかけるために、付勢されたドラム５１の周辺部と係合し、アクチュエーター５２が手動で操作される場合、ブレーキ部材はケーブルを巻き上げるためにドラムとの係合が外れて動かされて、ケーブルループの寸法が、所望のように調節されるようにする。
【００２７】
図３において示される安全装置１０の一実施形態において、ケーブル端保持部品３０ａ、３０ｂの１つが、もしアイテムがある規定の領域から取り去られた場合、警報を始動させるのに適した警報要素６０を備える。警報を備えた安全装置１０を提供することにより、検知されない盗難に対する防護がかなり改善される。
【００２８】
ケーブル端保持部品３０ａ、３０ｂは、移動可能に相互接続されるもので、これら二つの部品は、図７及び図８において矢印により示されるように、互いに反対方向に動かし、ロック装置４０が解放された際にはケーブルループ２０を開放あるいは閉じてアイテムを開放又は固定することができ、また、図１〜図３において示されるように互いに固定し、該ロック装置がロックされた場合に、盗難からアイテムを保持し及び固定するためのケーブルループを閉じるようにすることができる。
【００２９】
本発明による２部品構成ケーブルロック３０の利点は、ケーブルロックがロックされず、かつ両部品が互いに引き離され／分離されている場合に、２つのケーブル端保持部品３０ａ及び３０ｂのそれぞれが、それぞれ対応するケーブル端２０ａ、２０ｂの重りとして、又はそれの対応するケーブル端２０ａ、２０ｂのための案内部材として機能することである。これは、衣服、例えば、ジャケット、シャツ又はズボンの袖又は脚を通じて各ケーブル端の手動の導入を単純化する。つまり、（図１において示される）重力の助けを伴い、そこを通して導入される場合、ケーブル端保持部品は、その袖又は脚を通って落ちて、それぞれのケーブル端２０ａ又は２０ｂを案内する。さらに、対応するケーブル端保持部品３０ａ、３０ｂの形態で重り及び案内部材が備えられたそれぞれのケーブル端を有する２つの自由ケーブル端２０ａ、２０ｂを備えた２ピースケーブルロック３０を提供することにより、これらの部品が分離されている場合、ケーブルロックを移動式にし、運ぶことを容易にし、及び異なるアイテムを固定するために使用することを容易にする。これはケーブルロックのコンパクトさにより可能であり、手で持つことが困難な程低い重量で且つ小さい寸法の薄いケーブルとしてその構成物が使用されることができる。薄いケーブルはジャケットの袖の中で多くの空間を占有しないので、この薄いケーブルはジャケットの試着をするすべての人の邪魔をせず、人の腕が簡単に袖を通して導入されるようになる。特に、小さな端部を有する薄いケーブルが使用される場合に、ケーブル端保持部品は、ハンドル／グリップとして機能するので、２つのケーブル端保持部品３０ａ及び３０ｂはまた、ケーブル端２０ａ、２０ｂを保持することをもより簡単にする。
【００３０】
図７及び８に示されるように、１つのケーブル端保持部品３０ａは２つのケーブル端保持部品３０ａ、３０ｂの移動方向に延在し、他のケーブル端保持部品３０ｂ（図８で示される）の少なくとも１つの雌部材３２に対向する少なくとも１つの雄部材３１を有しており、それらの部材は反対方向に相互接続配置可能に構成されている。１つの実施形態における１つのケーブル端保持部品３０ａは２つのケーブル端保持部品３０ａ、３０ｂの移動方向に延在する２つの雄部材３１を有し、各雄部材３１は他のケーブル端保持部品３０ｂ（図７で示される）の少なくとも１つの雌部材３２に対向する。別の実施形態において、第１雄部材３１は、ケーブル端保持部品３０ａ、３０ｂの互いに対する運動を案内すること及びもしケーブルロック３０が不正をされた場合に警報を始動させるための警報回路の一部を形成することに適合している。さらに別の実施形態において、第２雄部材３１は、ケーブル端保持部品３０ａ、３０ｂの互いに対する運動を案内することに適合しており、図３で示されるケーブルロックを、不正に対してより抵抗的にするためにケーブルロック３０の堅さは増大されるようになる。１つの実施形態において、各ケーブル端保持部品３０ａ、３０ｂは丸い。別の実施形態において、端保持部品のそれぞれは、対応する雄又は雌部材３１、３２と反対の端部で丸い。この丸みを帯びた形状は、部品の案内機能を高めるが、それは、この形状が、それが袖又は同種のものを通じて導入される場合に、ケーブル端２０ａ、２０ｂで詰まったり、又は動けなくなる危険を減少させるという事実による。
【００３１】
雄部材３１は、図７において示されているように異なる長さを有し、上方の雄部材３１は下方の雄部材よりも短く、第１ケーブル端保持部品３０ａ及び第２ケーブル端保持部品３０ｂが、ロック装置４０と一緒にロックされている場合にケーブルロック３０の堅さが高いことを意味する。この構成はまた、もし部品３０ａ、３０ｂの１つがひっくり返されたとき雄部材を導入することが不可能になるので、雌部材３２に雄部材３１を導入することを単純化する。雄部材は舌状の形状を有していてもよい。
【００３２】
安全装置１０において、ケーブル端保持部品３０ａ、３０ｂの１つ中のロック装置４０は、静止状態において他のケーブル端保持部品３０ａ、３０ｂに係合される端部分を有する少なくとも１つの磁気的に引きつけられるリーフスプリング４０を備える。
【００３３】
安全装置１０には、ケーブルが切られた場合に警報を鳴らすように構成された、ケーブル２０に接続された警報回路を含むことができるケーブルロック３０が設けられる。
【００３４】
さらに、本発明によれば安全装置１０は電子物品監視（ＥＡＳ）タグを含んでもよい。
【符号の説明】
【００３５】
１０  安全装置
２０  ケーブル
３０  ケーブルロック
３０ａ  第１ケーブル端保持部品
３０ｂ  第２ケーブル端保持部品
３１  雄部材
３２  雌部材
４０  ロック装置
５１  付勢されたドラム
５２  ケーブル制御装置
５３  アクチュエーター
５４  ブレーキ部材
【図１−２】
2010521030.tif 000003
【図３】
2010521030.tif 000004
【図４】
2010521030.tif 000005
【図５】
2010521030.tif 000006
【図６】
2010521030.tif 000007
【図７】
2010521030.tif 000008
【図８】
2010521030.tif 000009
【手続補正書】
【提出日】平成21年1月12日(2009.1.12)
【手続補正１】
【補正対象書類名】特許請求の範囲
【補正対象項目名】全文
【補正方法】変更
【補正の内容】
【特許請求の範囲】
【請求項１】
２つの端部（２０ａ、２０ｂ）を備えた少なくとも１つのケーブル（２０）と、
ループを形成するために、ロック装置（４０）により、２つのケーブル端部を解放可能に一緒に取り付けるケーブルロック（３０）と、を備え、
前記ケーブルロック（３０）は、第１ケーブル端保持部（３０ａ）及び第２ケーブル端保持部（３０ｂ）を備え、これら両ケーブル端保持部は、前記ケーブルループを形成するために、前記ロック装置により、開放可能に一緒にロックされるよう構成されており、
前記ケーブルロック（３０）は、前記ケーブル（２０）のための調節可能なループを形成するよう構成されたケーブル調節装置（５０）を備え、前記第１ケーブル端部保持部（３０ａ）は、その中に回転可能に搭載され、且つ、前記ケーブルの巻き上げのために前記ケーブル（２０）の一端（２０ａ、２０ｂ）に操作可能に接続される付勢されたドラム（５１）と、前記付勢されたドラムに操作可能に接続され、且つ、前記ケーブルループの寸法が調節されるように、前記ケーブル（２０）を巻き上げるためのドラムを解放することにより前記ケーブルループを狭くするため、及び、前記ケーブルの巻き戻しを止めるために、操作可能なケーブル制御装置（５２）とを備えて成る
盗難からアイテムを守るための安全装置（１０）において、
前記ケーブルロック（３０）は、一緒にロックされるとき、前記２つのケーブル端保持部品（３０ａ、３０ｂ）により形成される１つの２部品構成ケーブルロックハウジングを備え、さらに、前記ケーブルロックがロックされず、かつ、前記２つのケーブル端保持部品が離れているときには、前記ケーブル端保持部品のそれぞれが重力により案内部材として機能することを特徴とする安全装置（１０）。
【請求項２】
前記ケーブル端保持部品（３０ａ、３０ｂ）の１つは、アイテムがある規定された領域から取り去られた場合に、アラームを始動させるために適した警報要素（６０）を備えることを特徴とする請求項１に記載の安全装置（１０）。
【請求項３】
前記ケーブル端保持部品（３０ａ、３０ｂ）は、前記ロック装置がロックされた場合に盗難からアイテムを保持し且つ固定するための前記ケーブルループを閉じるために、前記ロック装置（４０）が互いに対して解放及び固定される場合に、前記アイテムを除去又は固定するための前記ケーブルループ（２０）の開放又は閉鎖を可能にするために、前記部品が互いに対して反対方向に配置可能であるようにするために、移動可能に相互接続される請求項１又は請求項２に記載の安全装置（１０）。
【請求項４】
１つのケーブル端保持部品（３０ａ）は、２つのケーブル端保持部品（３０ａ、３０ｂ）が移動する方向に延在し、且つ少なくとも１つの他のケーブル端保持部品（３０ｂ）の雌部材（３２）に対向する少なくとも一つの雄部材（３１）を有し、その雌及び雄部材は、反対方向に相互接続して配置可能に構成されることを特徴とする請求項１〜３のいずれか１項に記載の安全装置（１０）。
【請求項５】
１つのケーブル端保持部品（３０ａ）は、その２つのケーブル端保持部品（３０ａ、３０ｂ）が移動する方向に延在する２つの雄部材（３１）を有し、各雄部材は他のケーブル端保持部品（３０ｂ）の雌部材（３２）に対向することを特徴とする請求項４に記載の安全装置（１０）。
【請求項６】
第１雄部材（３１）は、互いに対して前記ケーブル端保持部品（３０ａ、３０ｂ）の移動を案内するように適合され、並びに、もしケーブルロックが不正をされた場合に、アラームを始動させるために適したアラーム回路の一部を形成するように適合されることを特徴とする請求項５に記載されている安全装置（１０）。
【請求項７】
第２雄部材（３１）は、前記ケーブルロック（３０）の堅さが増大して、前記ケーブルロックが不正に対して抵抗性を有するようにするために、互いに対して前記ケーブル端保持部品（３０ａ、３０ｂ）の移動を案内するように適合されることを特徴とする請求項５に記載の安全装置（１０）。
【請求項８】
前記ケーブル制御装置（５２）は、ブレーキ部材（５４）を備えた操作可能なアクチュエーター（５３）を備え、前記アクチュエーターは付勢されて、働いていない位置において前記ブレーキ部材は、前記付勢されたドラム（５１）を係合して、前記ケーブル（２０）の巻き戻しにブレーキをかけ、並びに、前記アクチュエーターが作動している場合に、前記ブレーキ部材が移動して前記ドラムとの係合が外れて、前記ケーブルループの寸法が調節されるように前記ケーブルを巻き上げるための前記ドラムを解放するようにすることを特徴とする請求項１〜７のいずれか１項に記載の安全装置（１０）。
【請求項９】
１つの前記ケーブル端保持部品（３０ａ、３０ｂ）中の前記ロック装置（４０）は、静止状態において、他のケーブル端保持部品（３０ａ、３０ｂ）に係合される端部を有する少なくとも１つの磁気的にひきつけられる板バネを備えることを特徴とする請求項１〜８のいずれか１項に記載の安全装置（１０）。
【請求項１０】
前記ケーブルロック（３０）は、前記ケーブル（２０）に接続されたアラーム回路を備え、前記ケーブルが切られた場合にアラームがなるように構成されることを特徴とする請求項１〜９のいずれか１項に記載の安全装置（１０）。
【請求項１１】
電子物品監視（ＥＡＳ）タグを備えることを特徴とする請求項１〜１０のいずれか１項に記載の安全装置（１０）。
【請求項１２】
各ケーブル端保持部品は丸いことを特徴とする請求項１〜１１のいずれか１項に記載の安全装置（１０）。
【国際調査報告】
2010521030.tif 000010
2010521030.tif 000011
2010521030.tif 000012